(57)【要約】【課題】  小型商品包装用袋において、陳列作用が終わると、ヘッダ部を取り除き、保存用袋として使用することができる包装用袋を提供する。【解決手段】  ヘッダ部の熱接着部より下方に熱接着性チャック具を熱接着させ、ヘッダ部より下方で、熱接着性チャック具より上方に、袋幅方向に切り取りミシン線を設ける。切り取りミシン線より切り離す構造とする。【選択図】図１
2007290776.tif 000002
【特許請求の範囲】
【請求項１】
表側フイルムと裏側フイルムを有し、これら表側フイルムと裏側フイルムの両側縁どうし、および下縁どうしが連結されて袋部が形成されている包装用袋であって、
表側フイルムには、裏側フイルムの上縁よりさらに上方に延出する蓋部が連続しているともに、この蓋部の裏面所定部位に剛性が与えられた厚手のフイルムを設け、さらに上方延出部を内側に厚手のフイルムを巻き込む方法で、折り曲げて、蓋部先端を厚手フイルムの下方部において、表側フイルムの内面と袋幅方向に熱接着させ、厚手フイルムを蓋部に取り込む、さらに、熱接着部より下方に表側フイルムの内側袋幅方向に熱接着性チャック具雄型を熱接着させる。裏側フイルムの上縁部に内側袋幅方向に熱接着性チャック具雌型を熱接着をさせることを特徴とする包装用袋であって、
上記蓋部の表側フイルム熱接着部より下方で、熱接着性チャック具より上方に、袋幅方向に切り取りミシン線を設けることを特徴とする包装用袋。
【請求項２】
前記包装用袋において、蓋部厚手フイルムの所定位置に吊り下げ用フック穴を設ける請求項１に記載の包装用袋。
【発明の詳細な説明】
【技術分野】
【０００１】  本願発明は、チャツク付きの陳列用袋と保存兼用の包装用袋に関する。
【背景技術】
【０００２】  小型商品を収納し、効果的に陳列することができるようにした包装用袋として、ヘッダ付き陳列用袋がある。このヘッダ付き陳列袋は、ヘッダ部と、このヘッダの下方につながる袋部とを有し、ヘッダ部には、フックが形成されている。陳列棒に上記のフックを引っ掛けるようにして、商品が収納された上記包装袋が陳列される。前に述る方法を業界ではヘッダと言う、よって、後下記ではヘッダと言う。【０００３】  上記包装袋の開口部には、開閉自在用の接着剤が塗布されている包装用袋が多くある。
【発明の開示】
【発明が解決しようとする課題】
【０００４】  上記包装用袋が陳列効果の作用が終わると、ヘッダ部が不要になり、包装用袋に収納された小型商品を保存するのにヘッダ部がかさばり、保存するのに邪魔になる。【０００５】  上記包装袋の開口部には、開閉自在用の接着剤が塗布されている包装用袋が多くあるが。接着剤の開閉回数が多くなると、接着効果が無くなる。さらに、接着剤の性能上、低温、冷凍等の使用が出来ない。【０００６】  上述したヘッダ付き陳列用袋の作用が終わると、ヘッダ部を取り外すことのできる包装用袋を課題とする。【０００７】  上述した開口部には、何度でも使用可能な開閉自在を使用する。接着剤に変わる、低温、冷凍等にも使用できる開口部を有する包装用袋を課題とする。
【発明が解決するための手段】
上記の課題を解決するため、本願発明では、次の技術的手段を採用した。
【０００８】  包装用袋の開口部において、ヘッダ部下方の熱接着部より下方に表側フイルムの内側袋幅方向に熱接着性チャツク具雄型を熱接着させる。裏側フイルムの上縁部に内側袋幅方向に熱接着性チャツク具雌型を熱接着をさせる。前記、チャツク具の雄型と雌型が各方向が入れ替わっても本願技術には変わらない。
【０００９】  上記蓋部の表側フイルム熱接着部より下方で、熱接着性チャツク具より上方に、袋幅方向に切り取りミシン線を設ける。
【発明の効果】
【００１０】  上述したように、本願は発明の包装用袋のヘッダ部を陳列作用が終わると、表側フイルム熱接着部より下方で、チャツク具より上方の切り取りミシン線より、切り離すことができる。
【００１１】  陳列作用が終わると、切り取り具を必要とせず、ヘッダ部より下方をチャツク具付き保存用袋として使用することができる。
【００１２】  陳列用ヘッダ部が無くなり、ヘッダ部より下方のチャツク具より開口部とてし、開閉自在に使用できる。また、チャツク具は低温、冷凍等にも使用可能である。
【発明を実施するための最良の形態】
【００１３】  以下、本願発明の最良の形態を、図面を参照しつつ具体的に説明する。【００１４】  表側フイルムと裏側フイルムを有し、これら表側フイル厶と裏側フイルムの両側縁どうし、および下縁どうしが連結されて袋部が形成されている包装用袋であって、
包装用陳列用袋のヘッダ部を設ける。表側フイルムには、裏側フイルムの上縁よりさらに上方に延出する蓋部が連続しているともに、この蓋部の裏面所定部位に剛性が与えられた厚手のフイルムを設け、さらに上方延出部を内側に厚手のフイルムを巻き込む方法で、折り曲げて、蓋部先端を厚手フイルムの下方部において、表側フイルムの内面と袋幅方向に熱接着させ、厚手フイルムを蓋部に取り込む、厚手フイルムの所定位置に陳列用吊り下げフック穴を設けヘッダ部を形成する。【００１５】  上記ヘッダ部の厚手フィルムの下方部において、表側フイルムの内面と袋幅方向に熱接着させた接着部より下方において、袋幅方向に切り取りミシン線を設ける。【００１６】  上記袋幅方向に切り取りミシン線より下方に切り取りミシン線と平行に熱接着性チャツク具雄型を熱接着をさせる。【００１７】  上記熱接着性チャツク具雄型と勘合する位置において、裏側フイルムの上縁に熱接着性チャツク具雌型を熱接着させる。【００１８】  上記包装用袋において、ヘッダ部によって陳列用袋として作用する。陳列作用が終わると、切り取りミシン線より切り取りヘツダ部を取り除く、ヘッダ部下の袋部を保存用袋として使用する。【００１９】  上記袋部のチヤツク具によって、袋の開口部として、開閉自在に商品の出し入れを行うことができる。
【発明の効果】
【００２０】  本願の目的である、陳列作用が終わると、不要になったヘッダ部を取り除き、保存用袋として使用できる。
【００２１】  開口部は熱接着性チャツク具を使用するため、気密状態で保存することができるので、使用状態において耐久性も維持することができ、数多くの開閉ができる。また、低温、冷凍等の使用もできる。
【図面の簡単な説明】
【００２２】
【図１】  （Ａ）本願発明の一実施形態に係る包装用袋を裏面側から見た平面図ある。（Ｂ）は（Ａ）のｂ−ｂ線断面図である。
【図２】  本願包装用袋の製作工程を示す線断面図である。
【図３】  本願包装用袋の製作工程を示す線断面図である。
【図４】  本願包装用袋の製作工程を示す線断面図である。
【図５】  本願包装用袋の製作工程を示す線断面図である。
【図６】  本願包装用袋の製作工程を示す線断面図である。
【図７】  （Ｃ）本願発明の一実施形態に係る包装用袋を裏面側から見た平面図ある。（Ｄ）は（Ｃ）のｅ−ｅ線断面図である。
【符号の説明】
１    表側フイルム
２    裏側フイルム
３    包装用袋の蓋部
４    厚手フイルム
５    蓋部折り曲げ部
６    吊り下げ穴
７    厚手フイルム下方部の熱接着
８    切り取りミシン線
９    熱接着性チャック具雄型、雌型
１０．１１  両側縁
１２．下縁
【図１】
2007290776.tif 000003
【図２】
2007290776.tif 000004
【図３】
2007290776.tif 000005
【図４】
2007290776.tif 000006
【図５】
2007290776.tif 000007
【図６】
2007290776.tif 000008
【図７】
2007290776.tif 000009